(57)【要約】【課題】  ヘッドライトテスターにおいて種々の光学部品により測定誤差要因を吸収する色補正光学フィルターを介在させることにより高精度なヘッドライトテスターを得る。【解決手段】  ヘッドライト配光を計測するヘッドライトテスターにおいて、複数の色光学フィルター特性を組み合わせ、その合成した光学フィルターにより配光光度を測定する際、種々の光学部品によって生ずる誤差を低減するため逆特性の色補正フィルターを介在させることにより高精度のヘッドライトテスターを提供する。【選択図】図３４
2010266421.tif 000002
【特許請求の範囲】
【請求項１】
車両のヘッドライトから所定の距離を離間して配置され、該ヘッドライトの配光特性を検査するヘッドライトテスターの前面集光レンズに該ヘッドライト照射光を入射し、その照射パターンを該テスター内のスクリーン上に投射し、その光度を基準比視感度特性に準ずる特性を持つ受光センサーで検出するヘッドライトテスターにおいて、波長をＸ軸、透過率をＹ軸とする透過特性グラフにおいて、波長４４０ｎｍ以下は波長が短くなるに従い透過率が減少し、波長４４０〜５３０ｎｍはほぼ平坦な透過特性を持ち、５３０〜６４０ｎｍは波長が増大するに伴い透過率が減少し、６４０ｎｍ以上は所定値である一定の透過率特性を持つ色補正フィルターを介在させヘッドライトの光度測定する事を特徴とするヘッドライトテスター。
【請求項２】
車両のヘッドライトから所定の距離を離間して配置され該ヘッドライトの配光特性を検査するヘッドライトテスターの前面集光レンズに該ヘッドライト照射光を入射し、その照射パターンを該テスター内のスクリーン上に投射し、その光度を基準比視感度特性に準ずる特性を持つ受光センサーで検出するヘッドライトテスターにおいて、複数の色フィルターを組み合わせて、該スクリーン上のヘッドライトの照射パターンの光度測定を行い、得られた測定値誤差の逆特性の透過特性を持つ色補正フィルターを介在させることを特徴とするヘッドライトテスター。
【請求項３】
スクリーン上のヘッドライトの照射パターンの光度測定する複数の色フィルターは波長６００ｎｍ以上を透過するハイパス光学フィルターはＲ−６０、波長５６０ｎｍ以上を透過するハイパス光学フィルターはＯ５６、中心波長５３３ｎｍのバンドパス光学フィルターはＧ−５３３、及び波長４８０ｎｍをピークに持ち、略６００ｎｍ以下を透過するローパス光学フィルターＢ−４８０を組み合わせて光度測定を行う、請求項１のヘッドライトテスター。
【請求項４】
スクリーン上のヘッドライトの照射パターンの光度測定する複数の色フィルターは波長６００ｎｍ以上を透過するハイパス光学フィルターはＲ−６０、波長５６０ｎｍ以上を透過するハイパス光学フィルターはＯ−５６、中心波長５３３ｎｍのバンドパス光学フィルターはＧ−５３３、及び波長４８０ｎｍをピークに持ち、略６００ｎｍ以下を透過するローパス光学フィルターＢ−４８０を組み合わせて光度測定を行う、請求項２のヘッドライトテスター。
【請求項５】
スクリーン上のヘッドライトの照射パターンの光度測定する複数の色フィルターは波長６００ｎｍ以上を透過するハイパス光学フィルターはＲ−６０、波長５６０ｎｍ以上を透過するハイパス光学フィルターはＯ−５６、中心波長５３３ｎｍのバンドパス光学フィルターはＧ−５３３、及び波長４８０ｎｍをピークに持ち、略６００ｎｍ以下を透過するローパス光学フィルターＢ−４８０を組み合わせて光度測定を行い得られた光度測定誤差から補正量を決定し、色補正フィルターの種類を選定する請求項４のヘッドライトテスター。
【請求項６】
車両のヘッドライトから所定の距離を離間して配置され該ヘッドライトの配光特性を検査するヘッドライトテスターの前面集光レンズに該ヘッドライト照射光を入射し、その照射パターンを該テスター内のスクリーン上に投射し、その光度を基準比視感度特性に準ずる特性を持つ受光センサーで検出するヘッドライトテスターにおいて、複数の色フィルターを組み合わせて、該スクリーン上のヘッドライトの照射パターンの光度測定を行い、得られた測定値誤差の逆特性の透過特性を持つ色補正フィルターを介在させるヘッドライトテスターにおいて該色補正フィルターと該受光センサーが一体化の構造を特徴とする受光センサー及び色補正フィルターと一体化された受光センサーを該スクリーン上に配置したことを特徴とするヘッドライトテスター。
【請求項７】
車両のヘッドライトから所定の距離を離間して配置され該ヘッドライトの配光特性を検査するヘッドライトテスターの前面集光レンズに該ヘッドライト照射光を入射し、その照射パターンを該テスター内のスクリーン上に投射し、その光度を基準比視感度特性に準ずる特性を持つ受光センサーで検出するヘッドライトテスターにおいて、複数の色フィルターを組み合わせて、該スクリーン上のヘッドライトの照射パターンの光度測定を行い、得られた測定値誤差の逆特性の透過特性を持つ色補正フィルターを介在させるヘッドライトテスターにおいて該色補正フィルターを該ヘッドライトテスター内に設置することを特徴とするヘッドライトテスター。
【発明の詳細な説明】
【技術分野】
【０００１】  本発明は、車両用前照灯試験装置（ヘッドライトテスター）において、ヘッドライトの照射光を測定する方法及び装置に関するものである。
【背景技術】
【０００２】  車両用ヘッドライトの測定試験は基準のヘッドライトの前面１０ｍの距離にスクリーンを配置し、該基準ライトから投射される照度分布パターンと照度を測定基準用フィルターが装着された測定基準用の光度計にて測定し、その測定された光度分布を基準値にして判断される。この方法による、被測定車両のヘッドライトの試験測定は、広いスペースが必要であり、また光度とその分布測定値によって良否を判断することから複数の測定ポイントが必須となる。【０００３】  図１に、この基準測定方法を示す。図１において、基準ヘッドライト１０１から照射された照射光１０５は１０ｍ離間したスクリーン１０２投射される。投射した照射パターン１０３を基準光度測定器１０４で基準となる光度を計測する。車両用ヘッドライトの試験計測は、この測定方法を採用しても良いが測定装置が大きくなり、かつ測定作業と測定値処理の作業量が膨大になり、非効率であった。図２は基準光度測定器１０４の前面に色フィルター１０６を配置し、色フィルターの種類を変更し、そのときの光度を基準として測定する方法である。図３は基準測定に使用される基準光度計の形状を示す、該基準光度計は測定基準用フィルターが内蔵された円筒形の形状をもち外形も図３に示すように最大外形φ１３４ｍｍ、長さ１４４ｍｍの大きさを持つ。よって省スペースの測定器に内蔵するには外形が大きく用途が限られかつ高価なセンサーである。該ヘッドライト１０１からスクリーン１０２に照射される照射パターンを該基準光度計よってスクリーン上の光度を測定する。また図４は、この基準照度計に内蔵される測定基準用フィルターの分光特性１０８と基準比視感度特性１０７を示す。【０００４】  図５に、実際の測定作業を示す。測定するヘッドライト１０９から１０ｍ離間したスクリーン１１１に投射された照射光１１０のスクリーン上の照射パターン１１２を受光センサー１１３，１１４，１１５，１１６，１１７で光度データとして取得する。多点のデータを取得できるが、広い作業スペースが必要であることには変わりはない。図６は受光センサー１１７の前面に色フィルター１１８を配置し、色フィルターの種類を変更し、そのときの光度を基準として測定する方法である。【０００５】  図７として、作業スペース低減の工夫としての装置であるヘッドライトテスター１１９を示す。ヘッドライトテスター１１９を被測定ヘッドライト１２１から１ｍ離間した場所に設置しヘッドライト光１２２を該ヘッドライトテスター１１９の筐体前面の集光レンズ部１２０に投射し、該筐体内の小型スクリーンに縮小投影させ、該スクリーン上に配設された受光センサーの出力信号を測定する方法（特開昭６３−１９５２９）をとっている。【０００６】  図８はヘッドライトテスターの内部構造例を示している。ヘッドライトテスター１２４の前面のフレネルレンズ部１２５に被測定ヘッドライト１２１より照射光１２３を投射し、反射ミラー１２６、ハーフミラー１２７を経由しスクリーン１２８および１２９に照射パターンを投影する。スクリーン１２８は走行灯用スクリーン、１２９はすれ違い灯用スクリーンである。【０００７】  図９は図８に示すヘッドライトテスター内部に色フィルター１３０を配置し、こ���らの色フィルターの種類を変更し光度を測定する方法を示している。図８、図９は図１、図２の基準光度測定と同じ方法に相当しており、ヘッドライトテスターでも同じ方法で光度測定を行う。図１、図２で得られた基準光度測定値とヘッドライトテスターによる測定光度を比較検証し被測定ヘッドランプの光度測定を行っている。【０００８】  図１０は走行灯用スクリーン上の受光センサー配置例を示している。走行灯の光度は受光センサー１３２によって行う。受光センサー１３３，１３４，１３５，１３６は照射パターンがほぼ中心であるかの確認用のセンサーである。
【特許文献１】特開昭６３−１９５２９号公報
【発明の概要】
【発明が解決しようとする課題】
【０００９】  本発明では、従来の基準光度測定に則った測定法では広い測定スペースが必要であり、これに対する改善対策としてヘッドライト近傍にヘッドライトテスターを配置し、光学レンズ、ミラー灯の光学部材を組み合わせ省スペースの光度測定を行っている。しかし図５、図６による測定する光学空間とヘッドライトテスターによる光学空間は基本的に異なり測定誤差を伴うものであった。その誤差要因はヘッドライトテスター前面のフレネルレンズ、フレネルレンズを保護するガラス板、反射ミラー、ハーフミラー、受光センサーが基準と異なる特性を持ち光学特性の違いがある。省スペースの測定を提供するヘッドライトテスターは、その構造上ゆえ誤差要因を必然的に含むものである。【００１０】  図１１は図９におけるヘッドライトテスターでの光度測定で使用する色フィルター１３０の分光特性を示している。色フィルターは図１１に示されるＲ−６０の１３７，Ｏ−５６の１３８、Ｇ−５３３の１３９、Ｂ−４８０の１４０の４種類を用いる。また、光度測定に用いる受光センサーの分光特性を図１２の１４１として示す。分光特性１４１は、図４に示される基準受光センサーの分光特性とは近似しているものの誤差を持っていることがわかる。【００１１】  図１３は分光特性１４１と示される受光センサーに色フィルターＲ−６０の分光特１４２をあてがった時の合成分光特性１４３を示している。図１４は分光特性１４１と示される受光センサーに色フィルターＯ−５６の分光特１４４と組み合わせた時の合成分光特性１４５を示している。図１５は分光特性１４１と示される受光センサーに色フィルターＧ−５３３の分光特１４６をあてがった時の合成分光特性１４７を示している。同様に、図１６は分光特性１４１と示される受光センサーに色フィルターＢ−４８０の分光特性１４８を組み合わせた時の合成分光特性１４９を示している。【００１２】  図１７は従来の方法によって光度測定した例を示す。図１７において、指示すべき光度は図２の測定方法によって得られた数値である。実際の測定値は−１６．１％〜＋３８．１％の誤差を示している。このようにヘッドライトテスターに構成される光学部品としての分光特性を持つ事により誤差を生じていることがわかる。よってこれらの誤差要因は許容しながら如何にヘッドライトテスターの光度測定誤差を低減するかが課題となる。
【課題を解決するための手段】
【００１３】  上記目的を達成するため、請求項に記載される誤差低減の低減する方法として適応するフィルター例を対応方法を示す。図１７に示す誤差をグラフ化したものを図１８に示す。横軸は光波長、縦軸は光度測定誤差（％）を示す。図１８に示す誤差グラフは１５１に示すように右方上がりの傾向を持ち、その誤差量は１５０で示される。図１９は色補正フィルターの特性を示す、波長４７０ｎｍより短波長領域は透過率が減少し、波長４５０ｎｍ〜５５０ｎｍはほぼ平坦な特性を持ち、波長５５０ｎｍ〜６２０ｎｍの透過率が波長が長くなるに従い減少し、６２０ｎｍ以上は一定の透過率特性を持っている。図１９で示される補正量１５２、青色領域および橙赤色の減少曲線は色補正フィルターの種類により選択可能である。【００１４】  適応する色補正フィルター例によって測定光度値誤差の変化する状態を示す。図２０は例として図１９における補正量１５２が少ない色補正フィルター適応させた測定誤差を示す。例として色補正フィルターはＣＣ−Ｃ１０フィルターを用いた。図２１は同様にＣＣ−Ｃ２０の色補正フィルターを用いた時の測定誤差を示す。図２２はＣＣ−Ｃ３０色補正フィルターの測定誤差例、図２３はＣＣ−Ｃ４０色補正フィルターを用いたときの測定誤差例、図２４はＣＣ−Ｃ５０色補正フィルターを適応させたときの誤差特性である。図１７、図２０、図２１、図２２、図２３、図２４の誤差特性をグラフ化したものを図２５に示す。色補正フィルターの補正量が測定光度誤差に反比例したものを適合させて誤差を低減させる事が示される。この図２５の例では、ＣＣ−Ｃ４０色補正フィルターを適合させれば良い事がわかる。
【発明の効果】
【００１５】  ヘッドライトテスター機種設計変更による使用する光学部品、センサーの変更や配置が変わる場合が多々ある。図２６は別機種の光度測定での測定誤差例を示す。図２６は色補正フィルターを用いない場合で、その誤差グラフを図２７に示す。図２８、図２９、図３０、図３１、図３２は、対応させる色補正フィルターの種類を変えたものである。この誤差をまとめてグラフ化したものを図３３として示す。この例では、色補正フィルターとしてはＣＣ−Ｃ５０を採用する事が望ましい結果となっている。このように機種の差、光学部品、センサーの違いを適正な色補正フィルターを対応させる事により、高精度なヘッドライトテスターを提供することが可能となり、機種変更や設計変更への対応も迅速に出来る。
【発明を実施するための最良の形態】
【００１６】  次に、本発明を具体化した実施形態を図に基づいて説明する。図３４はヘッドライトテスター内に適合する色補正フィルターを配置した発明例を示す。被測定ヘッドランプ１７２の照射光１７３はヘッドライトテスター１７４の前面のフレネルレンズ系１７５に投射され、反射ミラー１７６、ハーフミラー１７７を経由してスクリーン１７８、スクリーン１７９に照射パターンを結像する。色補正フィルターの配置例としてハーフミラー１７７とスクリーン１７８の中間、ハーフミラー１７７とスクリーン１７９の中間に配置する。別な実施例としてはフレネルレンズ系１７５と反射ミラー１７６の中間に配置する方法や反射ミラー１７６とハーフミラー１７７の中間に配置する方法もある。色補正フィルターの配置が簡便な方法の発明例である。【００１７】  図３５は受光センサー１８２を示す。図３６は受光センサー１８２に色補正フィルター１８３をはめ込む構造を持つ。１８４は色補正フィルター１８３と受光センサーを取り付けるホルダーで遮蔽部材としても兼ねている。色補正フィルター１８３を取り付けた受光センサー１８５は単体でも誤差補正された受光センサーとして対応可能である。図３７は色補正フィルター１８３を取り付けた受光センサー１８５をヘッドライトテスター内のスクリーン１８６に配設した例である。図３７は走行灯スクリーンに配設した例であるが、すれ違い灯のスクリーンにも同様に取り付ける事が出来る。色補正フィルター１８３を取り付けた受光センサー１８５を取り付けたスクリーンを交換する事により迅速に高精度なヘッドライトテスターを提供できる。【００１８】  本発明例に実施した色補正フィルターは市販のフィルターを使用したが、より精度を高めるには、誤差特性から逆特性の補正フィルターを決定し、きめ細かい補正フィルターを適合させればより精度の高いヘッドライトテスターを提供できる。【００１９】  請求項１は適合させる色補正フィルターの分光特性例を対応させる発明を示している。請求項２は誤差特性の逆特性を持つ色補正フィルターを対応する発明である。請求項３は各種色フィルターによる光度測定方法と適合させる色補正フィルターの分光特性例を対応させる発明を示している。請求項４は各種色フィルターによる光度測定誤差の逆特性をもつ色補正フィルターの分光特性例を対応させる発明を示している。請求項５は各種色フィルターによる光度測定誤差から得られる適正補正量を持つ色補正フィルターの分光特性例を対応させる発明を示している。請求項６は測定誤差特性の逆特性を持つ色補正フィルターを受光センサーに組み込む発明である。請求項７は測定誤差特性の逆特性を持つ色補正フィルターをヘッドライトテスター内に配置する発明である。
【図面の簡単な説明】
【００２０】
【図１】  ヘッドライトの基準光度測定方法の説明図である。
【図２】  色フィルターによるヘッドライトの基準光度測定方法の説明図である。
【図３】  光度測定用基準受光センサーである。
【図４】  基準比視感度分光特性と基準受光センサーの感度特性である。
【図５】  受光センサーによるヘッドライト光度測定方法の説明図である。
【図６】  色フィルターを用いたヘッドライト光度測定方法の説明図である。
【図７】  ヘッドライトテスターである。
【図８】  ヘッドライトテスターの内部構造説明図である。
【図９】  色フィルターを配置したヘッドライトテスターの内部構造説明図である。
【図１０】  ヘッドライトテスター内スクリーンに受光素子を配置した説明図である。
【図１１】  色フィルターの透過分光特性。
【図１２】  受光センサーの分光感度。
【図１３】  色フィルター  Ｒ−６０と受光センサーとの合成透過分光特性。
【図１４】  色フィルター  Ｏ−５６と受光センサーとの合成透過分光特性。
【図１５】  色フィルター  Ｇ−５３３と受光センサーとの合成透過分光特性。
【図１６】  色フィルター  Ｂ−４８０と受光センサーとの合成透過分光特性。
【図１７】  測定誤差の測定例である。
【図１８】  測定誤差のグラフである。
【図１９】  色補正フィルターの分光特性例。
【図２０】  測定誤差の測定例である。
【図２１】  測定誤差の測定例である。
【図２２】  測定誤差の測定例である。
【図２３】  測定誤差の測定例である。
【図２４】  測定誤差の測定例である。
【図２５】  測定誤差をまとめたグラフである。
【図２６】  測定誤差の測定例である。
【図２７】  測定誤差のグラフである。
【図２８】  測定誤差の測定例である。
【図２９】  測定誤差の測定例である。
【図３０】  測定誤差の測定例である。
【図３１】  測定誤差の測定例である。
【図３２】  測定誤差の測定例である。
【図３３】  測定誤差をまとめたグラフである。
【図３４】  本発明の実施例である。
【図３５】  受光センサーの構造図である。
【図３６】  本発明の実施例である受光センサー構造図である。
【図３７】  本発明の実施例である。
【符号の説明】
【００２１】１０１  ヘッドライト
１０２  スクリーン
１０３  照射パターン
１０４  基準受光センサー
１０５  照射光
１０６  色フィルター
１０７  基準比視感度分光特性
１０８  基準受光センサー感度分光特性
１０９  ヘッドライト
１１０  照射光
１１１  スクリーン
１１２  照射パターン
１１３  受光センサー
１１４  受光センサー
１１５  受光センサー
１１６  受光センサー
１１７  受光センサー
１１８  色フィルター
１１９  ヘッドライトテスター
１２０  フレネルレンズ部
１２１  ヘッドライト
１２２  照射光
１２３  照射光
１２４  ヘッドライトテスター
１２５  フレネルレンズ部
１２６  反射ミラー
１２７  ハーフミラー
１２８  走行灯スクリーン
１２９  すれ違い灯スクリーン
１３０  色フィルター
１３１  スクリーン
１３２  受光センサー
１３３  受光センサー
１３４  受光センサー
１３５  受光センサー
１３６  受光センサー
１３７  Ｒ−６０の透過分光特性
１３８  Ｏ−５６の透過分光特性
１３９  Ｇ−５３３の透過分光特性
１４０  Ｂ−４８０の透過分光特性
１４１  受光センサーの感度特性
１４２  Ｒ−６０の透過分光特性
１４３  合成透過分光特性
１４４  Ｏ−５６の透過分光特性
１４５  合成透過分光特性
１４６  Ｇ−５３３の透過分光特性
１４７  合成透過分光特性
１４８  Ｂ−４８０の透過分光特性
１４９  合成透過分光特性
１５０  補正値
１５１  ＣＣフィルター無しの誤差曲線
１５２  補正量
１５３  ＣＣ−Ｃ１０の透過分光特性
１５４  ＣＣ−Ｃ２０の透過分光特性
１５５  ＣＣ−Ｃ３０の透過分光特性
１５６  ＣＣ−Ｃ４０の透過分光特性
１５７  ＣＣ−Ｃ５０の透過分光特性
１５８  ＣＣフィルター無しの誤差曲線
１５９  ＣＣ−Ｃ１０フィルター補正の誤差曲線
１６０  ＣＣ−Ｃ２０フィルター補正の誤差曲線
１６１  ＣＣ−Ｃ３０フィルター補正の誤差曲線
１６２  ＣＣ−Ｃ４０フィルター補正の誤差曲線
１６３  ＣＣ−Ｃ５０フィルター補正の誤差曲線
１６４  補正値
１６５  ＣＣフィルター無しの誤差曲線
１６６  ＣＣフィルター無しの誤差曲線
１６７  ＣＣ−Ｃ１０フィルター補正の誤差曲線
１６８  ＣＣ−Ｃ２０フィルター補正の誤差曲線
１６９  ＣＣ−Ｃ３０フィルター補正の誤差曲線
１７０  ＣＣ−Ｃ４０フィルター補正の誤差曲線
１７１  ＣＣ−Ｃ５０フィルター補正の誤差曲線
１７２  ヘッドライト
１７３  照射光
１７４  ヘッドライトテスター
１７５  フレネルレンズ部
１７６  反射ミラー
１７７  ハーフミラー
１７８  スクリーン
１７９  スクリーン
１８０  色補正フィルター
１８１  色補正フィルター
１８２  受光センサー
１８３  色補正フィルター
１８４  ホルダー
１８５  色補正フィルターを取り付けた受光センサー
１８６  スクリーン
１８７  色補正フィルターを取り付けた受光センサー
１８８  受光センサー
１８９  受光センサー
１９０  受光センサー
１９１  受光センサー
【図１】
2010266421.tif 000003
【図２】
2010266421.tif 000004
【図３】
2010266421.tif 000005
【図４】
2010266421.tif 000006
【図５】
2010266421.tif 000007
【図６】
2010266421.tif 000008
【図７】
2010266421.tif 000009
【図８】
2010266421.tif 000010
【図９】
2010266421.tif 000011
【図１０】
2010266421.tif 000012
【図１１】
2010266421.tif 000013
【図１２】
2010266421.tif 000014
【図１３】
2010266421.tif 000015
【図１４】
2010266421.tif 000016
【図１５】
2010266421.tif 000017
【図１６】
2010266421.tif 000018
【図１７】
2010266421.tif 000019
【図１８】
2010266421.tif 000020
【図１９】
2010266421.tif 000021
【図２０】
2010266421.tif 000022
【図２１】
2010266421.tif 000023
【図２２】
2010266421.tif 000024
【図２３】
2010266421.tif 000025
【図２４】
2010266421.tif 000026
【図２５】
2010266421.tif 000027
【図２６】
2010266421.tif 000028
【図２７】
2010266421.tif 000029
【図２８】
2010266421.tif 000030
【図２９】
2010266421.tif 000031
【図３０】
2010266421.tif 000032
【図３１】
2010266421.tif 000033
【図３２】
2010266421.tif 000034
【図３３】
2010266421.tif 000035
【図３４】
2010266421.tif 000036
【図３５】
2010266421.tif 000037
【図３６】
2010266421.tif 000038
【図３７】
2010266421.tif 000039